(57)【要約】【課題】プラスチックレンズとガラスレンズとを同一のレンズ群に使用する場合に、温度などの周囲環境が変動しても、撮像した画像品質の劣化を低減することが可能なレンズ鏡筒を提供する。【解決手段】Ｌ９レンズ２４２は、Ｌ９レンズ固定部５００に接着固定される。Ｌ８レンズ固定部５０２とＬ９レンズ固定部５００は一体として構成される。Ｌ９レンズ固定部５００は、Ｌ９レンズ２４２の外径を規制するようにＬ９レンズ２４２の径方向端部と当接するＬ９レンズ外径受け部４５４を少なくとも３箇所備える。Ｌ９レンズ固定部５００は、Ｌ９レンズ２４２の高さを規制するようにＬ９レンズの光軸方向端部と当接するＬ９レンズ受け部４５１をＬ９レンズ外径受け部４５４と一体に備える。Ｌ８レンズ２４１およびＬ９レンズ２４２は、硬化後に同じ線膨張係数になる接着剤４７０で接着固定される。【選択図】図９Ｃ
2011145505.tif 000002
【特許請求の範囲】
【請求項１】
少なくとも一つのレンズ群を有するレンズ鏡筒であって、
前記レンズ群は、ガラスレンズとプラスチックレンズ、レンズ保持枠とを含み、
前記ガラスレンズは、レンズ中心を光軸に合わせるようにガラスレンズ固定部に接着固定され、
前記プラスチックレンズは、プラスチックレンズ固定部に接着固定され、
前記ガラスレンズ固定部と前記プラスチックレンズ固定部は、前記レンズ保持枠に樹脂成型により一体で形成され、
前記プラスチックレンズ固定部は、前記プラスチックレンズの外径を規制するように前記プラスチックレンズの径方向端部と当接するレンズ外径規制部を少なくとも３箇所備え、
さらに、前記プラスチックレンズ固定部は、前記プラスチックレンズの高さを規制するように前記プラスチックレンズの光軸方向端部と当接するレンズ高さ規制部を少なくとも３箇所備え、
さらに、前記プラスチックレンズ固定部は、接着剤溜まり部を少なくとも３箇所備え、
前記プラスチックレンズ固定部は、前記プラスチックレンズ外径規制部、および前記プラスチックレンズ高さ規制部、および接着剤溜り部は近接して形成され、
前記ガラスレンズと前記プラスチックレンズは、接着剤で前記レンズ保持枠に接着固定される、レンズ鏡筒。
【請求項２】
前記ガラスレンズと前記プラスチックレンズを接着固定する前記接着剤は、同一接着剤を使用することを特徴とする請求項１記載のレンズ鏡筒。
【請求項３】
前記ガラスレンズと前記プラスチックレンズを接着固定する前記接着剤は、硬化後同一の線膨張係数となる接着剤を使用することを特徴とする請求項１記載のレンズ鏡筒。
【請求項４】
前記ガラスレンズと前記プラスチックレンズを接着固定する前記接着剤は、硬化後同一の硬度となる接着剤を使用することを特徴とする請求項１記載のレンズ鏡筒。
【請求項５】
前記ガラスレンズと前記プラスチックレンズを接着固定する前記接着剤は、同一の収縮率である接着剤を使用することを特徴とする請求項１記載のレンズ鏡筒。
【請求項６】
前記接着剤溜まり部は、前記プラスチックレンズの径方向端部との間隔が狭い接着部と前記プラスチックレンズの径方向端部との間隔が広い供給部とからなる請求項１に記載のレンズ鏡筒。
【請求項７】
前記プラスチックレンズの全周を任意に２等分した場合にそれぞれの半周に前記レンズ外径規制部を少なくとも１箇所備えた請求項１または請求項２のいずれか一項に記載のレンズ鏡筒。
【請求項８】
前記ガラスレンズを接着固定する接着剤溜り部と、前記プラスチックレンズを接着固定する前記接着剤溜り部は、光軸に対して一方の入射口側から見て、同一のレンズ円周方向に夫々少なくとも３箇所、前記レンズ保持枠に樹脂成型により一体に構成された、請求項１から請求項７のいずれか一項に記載のレンズ鏡筒。
【発明の詳細な説明】
【技術分野】
【０００１】
本発明は、レンズ鏡筒に関し、特に、レンズ鏡筒内部に配置されるレンズ枠に関する。
【背景技術】
【０００２】
近年、レンズからの入射光をＣＣＤ（Ｃｈａｒｇｅ  Ｃｏｕｐｌｅｄ  Ｄｅｖｉｃｅ）、ＣＭＯＳ（Ｃｏｍｐｌｉｍｅｎｔｅ  Ｍｅｔａｌ  Ｏｘｉｄｅ  Ｓｅｍｉｃｏｎｄｕｃｔｏｒ）などの固体撮像素子を用いて撮像し、電気信号に変換後、画像として取り出せるようにした撮像装置が広く用いられている。また、レンズ交換式ＤＳＣ（Ｄｉｇｉｔａｌ  Ｓｔｉｌｌ  Ｃａｍｅｒａ）や固定レンズ式ＤＳＣ、ムービーなどの携帯用機器の小型化、高性能化の要求に伴い、撮像装置の主要部品であるレンズ鏡筒の小型化、軽量化、薄型化が一層求められている。一般に、レンズ鏡筒は、複数のレンズをズーム、フォーカスなどそれぞれの機能単位の一群とした複数のレンズ群から構成されている。
【０００３】
ところで近年、レンズの材料としてガラスに替えてプラスチックが多用されている。プラスチックレンズは、加工性に優れ、ガラスレンズよりも低コストである。しかしながら、プラスチックレンズは、ガラスレンズに比べ、機械的強度が低く、レンズ鏡筒への固定の際に歪みが発生しやすいという性質がある。そこで、プラスチックレンズのレンズ鏡筒への固定方法として種々の提案がなされている。
【０００４】
例えば、特許文献１には、プラスチックレンズを強固に接着するとともにプラスチックレンズの歪み発生を防止する技術が開示されている。具体的には、プラスチックレンズにゲート残り部を設ける。ゲート残り部が干渉しない径の大径部をレンズ鏡筒に形成しプラスチックレンズの位置決めは筒部の突起部をレンズの外周面に嵌合させて行う。大径部に接着剤を供給してプラスチックレンズを固定する。ゲート残り部の面積により接着面積が増大するため接着力が増大し、接着剤層が厚いため接着剤の緩衝作用が大きくプラスチックレンズに歪みが生じない。
【先行技術文献】
【特許文献】
【０００５】
【特許文献１】特開平７−１５９６６３号公報
【発明の概要】
【発明が解決しようとする課題】
【０００６】
プラスチックレンズとガラスレンズとを同一のレンズ群に使用する場合においても、プラスチックレンズに歪みを生じさせないことが重要である。そのため、プラスチックレンズの固定には、比較的接着強度が低い（硬化の際に引張り力が相対的に低い）接着剤が使用される。一方、プラスチックレンズよりも質量が大きいガラスレンズを支持するためには、プラスチックレンズを支持するための接着剤よりも、接着強度が高い接着剤が使用される。すなわち、プラスチックレンズを固定している接着剤と、ガラスレンズを固定している接着剤の物性が異なっている。そのため、温度などの周囲環境が変動した場合に、プラスチックレンズを固定している接着剤と、ガラスレンズを固定している接着剤の膨張量などが異なり、ガラスレンズとプラスチックレンズの光学中心にズレが発生する。
【０００７】
従来、プラスチックレンズは光学設計上の余裕が比較的大きいレンズ群の一部として用いられていた。よって、周囲環境の変動による光学中心のズレが大きな問題にはならない場合が多かった。しかし、近年、レンズ鏡筒の低コスト化を進める上で、光学設計上の余裕が比較的小さいレンズ群の一部としてもプラスチックレンズが用いられつつある。この場合、周囲環境の変動による光学中心のズレが、撮像した画像の品質を劣化させるといった問題点があった。
【０００８】
本発明は、上記課題を解決するためになされたもので、プラスチックレンズとガラスレンズとを同一のレンズ群に使用する場合に、温度などの周囲環境が変動しても、撮像した画像品質の劣化を低減することが可能なレンズ鏡筒を提供することを目的とする。
【課題を解決するための手段】
【０００９】
本発明のレンズ鏡筒は、少なくとも一つのレンズ群を有する。レンズ群は、ガラスレンズとプラスチックレンズとを含む。ガラスレンズは、レンズ中心を光軸に合わせるようにガラスレンズ固定部に接着固定される。プラスチックレンズは、プラスチックレンズ固定部に接着固定される。ガラスレンズ固定部とプラスチックレンズ固定部はレンズ保持枠に樹脂成型により一体で形成される。プラスチックレンズ固定部は、プラスチックレンズの外径を規制するようにプラスチックレンズの径方向端部と当接するレンズ外径規制部を少なくとも３箇所備える。さらに、プラスチックレンズ固定部は、プラスチックレンズの高さを規制するようにプラスチックレンズの光軸方向端部と当接するレンズ高さ規制部を少なくとも３箇所備える。さらに、プラスチックレンズ固定部は、少なくとも３箇所の接着剤溜まり部を備える。プラスチックレンズ固定部は、レンズ外径規制部、レンズ高さ規制部、接着剤溜りを近接した位置に形成する。ガラスレンズとプラスチックレンズは、硬化後に同じ線膨張係数になる接着剤で接着固定される。
【００１０】
このような構成によれば、温度などの周囲環境が変動しても、プラスチックレンズとガラスレンズとが同じ線膨張係数の接着剤で固定されているので、プラスチックレンズとガラスレンズの光学中心のズレを低減させることができる。
【００１１】
よって、プラスチックレンズとガラスレンズとを同一のレンズ群に使用する場合に、温度などの周囲環境が変動しても、撮像した画像品質の劣化を低減することが可能なレンズ鏡筒を提供できる。
【００１２】
また、接着剤溜まり部は、プラスチックレンズの径方向端部との間隔が狭い接着部とプラスチックレンズの径方向端部との間隔が広い供給部とからなるものでもよい。このような構成によれば、ノズルなどを用いて接着剤を容易に接着剤溜まり部に供給できる。さらに、接着部における接着剤の量は少なくなる。よって、レンズ鏡筒の製造が容易になることに加えて、温度などの周囲環境が変動しても、撮像した画像品質の劣化をより低減することが可能なレンズ鏡筒を提供できる。
【００１３】
また、プラスチックレンズの全周を任意に２等分した場合にそれぞれの半周にレンズ外径規制部を少なくとも１箇所備えてもよい。このような構成によれば、さらにプラスチックレンズを安定して固定できる。よって、温度などの周囲環境が変動しても、撮像した画像品質の劣化をさらに低減することが可能なレンズ鏡筒を提供できる。
【発明の効果】
【００１４】
本発明によれば、プラスチックレンズとガラスレンズとを同一のレンズ群に使用する場合に、温度などの周囲環境が変動しても、撮像した画像品質の劣化を低減することが可能なレンズ鏡筒を提供できる。
【図面の簡単な説明】
【００１５】
【図１】デジタルスチルカメラの外観を示す斜視図
【図２】同カメラの内部に収納されたレンズ鏡筒の外観を示す斜視図
【図３】図２におけるＡ−Ａ線断面図
【図４】実施の形態１における第４レンズ群の移動機構の詳細を示す斜視図
【図５Ａ】同第４レンズ群の詳細を示す斜視図
【図５Ｂ】同第４レンズ群を図５ＡのＺ軸方向反対側から見た斜視図
【図６Ａ】同Ｌ８レンズの斜視図
【図６Ｂ】同Ｌ８レンズの平面図
【図６Ｃ】図６Ｂにおける１−１線断面図
【図７Ａ】実施の形態におけるＬ９レンズの斜視図
【図７Ｂ】同Ｌ９レンズの斜視図
【図８Ａ】同第４レンズ群保持枠のＬ９レンズ取付け面側から見た平面図
【図８Ｂ】同第４レンズ群保持枠のＬ８レンズ取付け面側から見た平面図
【図８Ｃ】同第４レンズ群保持枠の断面を一部拡大した図
【図９Ａ】同Ｌ９レンズを第４レンズ群保持枠へ取付けた状態を示す平面図
【図９Ｂ】同Ｌ８レンズを第４レンズ群保持枠へ取付けた状態を示す平面図
【図９Ｃ】同Ｌ９レンズとＬ８レンズとを第４レンズ群保持枠へ取付けた状態の断面図を一部拡大した図
【図９Ｄ】図９ＡにおけるＡ−Ａ線断面図
【図１０Ａ】実施の形態２における第４レンズ群保持枠のＬ９レンズ取付け面側から見た平面図
【図１０Ｂ】同第４レンズ群保持枠のＬ８レンズ取付け面側から見た平面図
【発明を実施するための形態】
【００１６】
以下、本発明の一実施の形態におけるレンズ鏡筒１１１について、デジタルスチルカメラを例として図面を用いて説明する。
【００１７】
（実施の形態１）
［１．デジタルスチルカメラの構成］
図１に示すように、デジタルスチルカメラ１００の筐体となる６面を以下のように定義する。すなわち、デジタルスチルカメラ１００による撮影時に被写体側を向く面を前面部１０１、その反対側の面を背面部１０２とする。また、被写体の鉛直方向上下とデジタルスチルカメラ１００で撮像されるアスペクト比（長辺対短辺の比）が３：２，４：３，１６：９などの短辺方向上下とが一致するように撮影を行う場合に、鉛直方向上側に向く面を上面部１０３、その反対面を底面部１０４とする。さらに、被写体側から見て左側に来る面を左側面部１０５、その反対側の面を右側面部１０６とする。なお、これらの面の定義は、デジタルスチルカメラ１００に配置された状態の各構成部材に対しても適用される。
【００１８】
また、図１に示すように、デジタルスチルカメラ１００の前面部１０１に直交するＹ軸を有する３次元直交座標系を定義する。すなわち、背面部１０２から前面部１０１に向かう方向がＹ軸正方向、右側面部１０６から左側面部１０５に向かう方向がＸ軸正方向、さらに、Ｘ軸およびＹ軸に直交し、底面部１０４から上面部１０３に向かう方向がＺ軸正方向となる。以下、それぞれの図においては、このＸＹＺ座標系を基準として説明を行う。
【００１９】
デジタルスチルカメラ１００の前面部１０１には、被写体に対しての対物レンズである第１レンズ２１１が設けられている。また、上面部１０３には、撮影者が撮影操作などの操作を行えるように、撮影モード切替ボタン１０７、レリーズボタン１０８、電源スイッチ１０９、ズーム調節レバー１１０などが設けられている。レリーズボタン１０８は撮影者が露出のタイミングを入力するためのボタンである。撮影モード切替ボタン１０７は、撮影者が撮影操作に関する設定切替を行うためのボタンである。電源スイッチ１０９は撮影者がデジタルスチルカメラ１００の電源ＯＮおよびＯＦＦを操作するためのスイッチである。ズーム調節レバー１１０は、撮影者がズーム倍率を調整するためのレバーであり、レリーズボタン１０８を中心として所定の角度の範囲内で回転可能なように構成されている。また、背面部１０２には、撮影画像を表示する液晶モニタ（図示せず）が設けられている。さらに、デジタルスチルカメラ１００の内部には被写体の光学像を形成するレンズ群が収納されたレンズ鏡筒１１１が配置されている。
【００２０】
［２．レンズ鏡筒の構成］
図２および図３に示すように、レンズ鏡筒１１１には、第１レンズ群２１０、第２レンズ群２２０、第３レンズ群２３０、第４レンズ群２４０、第５レンズ群２５０、第６レンズ群２６０が配置されている。さらに、第３レンズ群２３０と第４レンズ群２４０との間にはシャッターユニット２７０が配置されている。第６レンズ群２６０はマスターフランジ２８０に支持され、マスターフランジ２８０には撮像素子２９０が配置されている。撮像素子２９０としては、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−ｏｘｉｄｅ  Ｓｅｍｉｃｏｎｄｕｃｔｏｒ）センサなどが用いられる。
【００２１】
第１レンズ群２１０は、対物レンズとなる第１レンズ２１１、第２レンズである反射プリズム２１２、第３レンズ２１３により構成され、これらが接着固定されてレンズ鏡筒１１１を構成する筐体２１４に固定されている。
【００２２】
第２レンズ群２２０は、ズームレンズ群であり、第４レンズ２２１と第５レンズ２２２と第６レンズ２２３とが接着固定されて、第２レンズ群保持枠２２４に装着されている。第２レンズ群保持枠２２４は、レンズ鏡筒１１１の外部に配置した第２レンズ群駆動手段２２５によって、レンズ鏡筒１１１の筐体２２６内を移動するように構成している。
【００２３】
第３レンズ群２３０は、単一の第７レンズ２３１によって構成され、筐体２３２に支持固定されている。
【００２４】
第４レンズ群２４０は、フォーカスレンズ群であり、第８レンズ２４１と第９レンズ２４２とにより構成されて、第４レンズ群保持枠２４３に装着されている。第４レンズ群保持枠２４３は、レンズ鏡筒１１１の外部に配置した第４レンズ群駆動手段２４４によって、レンズ鏡筒１１１の筐体２４５内を移動するように構成している。
【００２５】
第５レンズ群２５０は、単一の第１０レンズ２５１によって構成され、筐体２５２に支持固定されている。
【００２６】
第６レンズ群２６０は、手振れ補正レンズ群であり、第１１レンズ２６１によって構成されて、第６レンズ群保持枠２６２に装着されている。第６レンズ群保持枠２６２が第６レンズ群駆動手段（図示せず）によってレンズ鏡筒１１１の筐体２６３内を移動するように構成している。
【００２７】
ここで、レンズ鏡筒１１１を構成するそれぞれの筐体２１４、筐体２２６、筐体２３２、筐体２４５、筐体２５２、筐体２６３、およびマスターフランジ２８０は、図３に示すＺ軸方向の光軸３００と平行となるように組み立てられている。なお、これらの筐体を一体で構成しても良い。また、図３に示す光軸３１０は対物レンズとなる第１レンズ２１１から入射するＹ軸方向の光軸であり、光軸３１０と光軸３００とは同一面上で直角に交差している。
【００２８】
したがって、第１レンズ２１１から入射した光は、第レンズ群２１０、第２レンズ群２２０、第３レンズ群２３０、シャッターユニット２７０、第４レンズ群２４０、第５レンズ群２５０、さらには第６レンズ群２６０を通過して、撮像素子２９０に結像する。このとき、第２レンズ群２２０は光軸３００上を移動してズーム調整をし、第４レンズ群２４０は光軸３００上を移動してフォーカス調整をしている。さらに、第６レンズ群２６０は光軸３００上を移動して手振れ補正の調整をしている。
【００２９】
［３．第４レンズ群２４０の移動機構の構成］
図４に示すように、第４レンズ群２４０は、第４レンズ保持枠２４３に支持固定されている。第４レンズ群保持枠２４３には第４レンズ群移動軸受部２４４が一体的に設けられている。第４レンズ群移動軸受部２４４には、ガイド軸４２０が挿入されている。第４レンズ群移動軸受部２４４は、その長手方向の上部（Ｚ軸負方向）に設けられた第１軸受２４４ａと下部（Ｚ軸正方向）に設けられた第２軸受２４４ｂとによりガイド軸４２０上に支えられている。これにより、第４レンズ群移動軸受部２４４は、ガイド軸４２０上をスライド可能になる。
【００３０】
第４レンズ保持枠２４３には、フォーカスラック部４１０が所定の角度をとることができるように、回転自在に取り付け支持されている。すなわち、ステッピングモータなどの第４レンズ群駆動手段４３０によって、フォーカスラック部４１０と組み合わされたピニオン(図示せず)が駆動される。具体的には、フォーカスラック部４１０は、ばね（図示せず）によって、ピニオン（図示せず）に付勢される。よって、フォーカスラック部４１０がピニオンに組み合わされる。このようにして、フォーカスラック部４１０がＺ軸方向に上下移動する。さらに、第４レンズ群保持枠２４３が、ガイド軸４２０によって位置規制されながら、光軸３００上をＺ軸方向に上下移動する。このようにして、フォーカス調整が可能となる。
【００３１】
また、第４レンズ群保持枠２４３の第４レンズ群移動軸受部２４４と反対側の側面には、第３軸受２４５が設けられている。また、第３軸受２４５は、第５レンズ群２５０の筐体と一体でかつＺ軸に沿って設けられたフォーカスガイド副軸４２２に沿って、Ｚ軸方向に上下移動可能に構成されている。
【００３２】
図５Ａに示すように、第４レンズ群保持枠２４３には、Ｌ８レンズ２４１が接着固定されている。本実施例では、Ｌ８レンズ２４１は、ガラスを材料とするレンズである。
【００３３】
図５Ｂに示すように、第４レンズ群保持枠２４３には、Ｌ９レンズ２４２が接着固定されている。本実施例では、Ｌ９レンズ２４２はプラスチックを材料とするレンズである。すなわち、同一のレンズ枠である第４レンズ保持枠２４３に光学中心（光軸）を合わせてプラスチックレンズであるＬ９レンズ２４２とガラスレンズであるＬ８レンズ２４１が接着固定されている。
【００３４】
しかしながら、このようなレンズ群の構成においては、ガラスレンズとプラスチックレンズを接着固定後、ガラスレンズとプラスチックレンズとの間に光軸のズレが発生する場合がある。また、低温や高温環境下における性能試験においても、光軸のズレが発生する場合がある。このようなレンズ間の光軸のズレは、撮像素子２９０の撮像面に結像される被写体の像一部分、あるいは広範囲に渡って、解像性能仕様未達の原因となる。つまり、光軸のズレによって、撮像した画像品質の劣化が引き起こされる。
【００３５】
そのため、光軸のズレを低減可能な、レンズの接着構成が必要となる。
【００３６】
［４．レンズの接着構成］
次に、第４レンズ群２４０を構成する主要部品について説明する。図６Ａおよび図６Ｂに示すＬ８レンズ２４１の材料はガラスである。本実施例では、Ｌ８レンズ２４１は、両面とも球面加工されている。また、図６Ｃに示すように、Ｌ８レンズ２４１の径方向端部には、Ｌ８レンズ取り付け面４８１が形成されている。
【００３７】
図７Ａおよび図７Ｂに示すＬ９レンズ２４２の材料はプラスチックである。本実施例では、Ｌ９レンズ２４２は、両面とも凹面に加工されている。Ｌ９レンズ２４２は、光学レンズ用プラスチック材料を金型で成形加工して形成されたものである。よって、Ｌ９レンズ２４２の外径に付随して、ゲート残り部４３２がある。また、Ｌ９レンズ２４２のＺ軸正方向端面には、金型からＬ９レンズ２４２を押し出すための、ピン当て部４３１が設けられている。さらに詳細には、Ｌ９レンズ２４２のＺ軸負方向端面の外縁部にはレンズ取り付け面４３３が設けられている。さらにＬ９レンズ２４２の外径端面は、Ｌ９レンズ外径当て面４３４とＬ９レンズ外径部４３５から構成される。
【００３８】
図８Ａおよび図８Ｂに示す第４レンズ群保持枠２４３は、ガラスファイバーが入ったポリカーボネートや、ＡＢＳなどの合成樹脂から形成される。また、図８Ｃに示すように、レンズ高さ規制部であるＬ９レンズ受け部、Ｌ９レンズ第１の接着剤溜まり４５２、Ｌ９レンズ第２の接着剤溜まり４５３、レンズ外径規制部であるＬ９レンズ外形受け部４５４が設けられ、これらのＬ９レンズ２４２の保持形状が３箇所で、それぞれが同じ位相に設けられている。なお、Ｌ９レンズ２４２の全周を任意に２等分した場合にそれぞれの半周にＬ９レンズ外径受け部４５４を少なくとも１箇所設けても良い。このような構成によれば、さらにＬ９レンズ２４２が安定して固定可能となる。
【００３９】
また、図８Ｂに示すように、Ｌ８レンズ取り付け面受け部４６１、Ｌ８レンズ接着剤溜まり４６２がそれぞれ３箇所設けられている。
【００４０】
次に、第４レンズ群保持枠２４３への、Ｌ８レンズ２４１、Ｌ９レンズ２４２の接着方法について説明する。
【００４１】
まず、図９Ａと図９Ｃに示すように、Ｌ９レンズ２４２が第４レンズ群保持枠２４３の所定の位置に配置される。次に、接着剤４７０がＬ９レンズ２４２の径方向端部との間隔が広い供給部であるＬ９レンズ第１の接着剤溜まり４５２にディスペンサーなどで注入される。接着剤４７０は紫外線硬化型の接着剤であり、粘度は１０００ｍＰａ・ｓ以上、１００，０００ｍＰａ・ｓ以下の範囲であることが望ましい。接着剤４７０の粘度は、より望ましくは、４０，０００ｍＰａ・ｓ以上、１００，０００ｍＰａ・ｓ以下である。ここで、さらに製造を容易にするためには、接着剤溜まり４５２の光軸から見た半径方向の幅は、ディスペンサーノズルの先端径より大きく構成することが望ましい。
【００４２】
次に、接着剤４７０は、Ｌ９レンズ２４２の径方向端部との間隔が狭い接着部であるＬ９レンズ第２の接着剤溜まり４５３とＬ９レンズ側面部４６５の間で形成される空間に、毛細管現象により充填される。Ｌ９レンズ第２の接着剤溜まりの４５３の光軸から見た幅は、Ｌ９レンズ外径部４６５から０．１ｍｍ程度が望ましい。このように、Ｌ９レンズ第１の接着剤溜まり４５２とＬ９レンズ第２の接着剤溜まり４５３とで接着剤溜まり部が構成される。
【００４３】
次に、接着剤４７０に紫外線が照射され、接着剤４７０が硬化する。このようにして、Ｌ９レンズ２４２が、第４レンズ群保持枠２４３に接着固定される。
【００４４】
なお、図９Ｃに示すように、Ｌ９レンズ２４２の外径方向の位置は、Ｌ９レンズ外径受け部４５４とＬ９レンズ外径当て面４５４が０．０１ｍｍ以上、０．０３ｍｍ以下の微小な隙間をあけて固定される。Ｌ９レンズの光軸方向の位置は、Ｌ９レンズ受け部４５１とＬ９レンズ取り付け面４３３を当接させることにより固定される。
【００４５】
ここで、接着剤４７０が紫外線硬化により収縮するので、Ｌ９レンズ２４２に歪みを発生させる懸念も考えられる。しかしながら、本実施例によれば、Ｌ９レンズ受け部４５１、Ｌ９レンズ第１の接着剤溜まり４５２、Ｌ９レンズ第２の接着剤溜まり４５３、Ｌ９レンズ外形受け部４５４が一体として同じ位置に設けられている（L９レンズ固定部５００）。よって、紫外線硬化による接着剤４７０の体積収縮が抑制される。また、接着剤４７０の体積収縮に起因するＬ９レンズ２４２に作用する外力が、Ｌ９レンズ第２の接着剤溜まり４５３の近傍に設けられたＬ９レンズ受け部４５１および、Ｌ９レンズ外径受け部４５４で受け止められる。したがって、Ｌ９レンズ２４２に発生する歪みを低減可能にしている。
【００４６】
また、ゲート残り部４６２は、第４レンズ群保持枠２４３に設けられたゲート逃がし部４５５に挿入される。これにより、形状の安定しないゲートへの接着を防止し、接着固定精度と接着強度の安定化を図ることを可能としている。
【００４７】
次に、図９Ｂに示すように、Ｌ８レンズ取り付け面４８１が第４レンズ群保持枠２４３のＬ８レンズ受け部４６１に取り付けられ、Ｌ８レンズの光軸方向の位置が固定される（L８レンズ固定部５０２）。
【００４８】
次に、図９Ｄに示すように、接着剤４７２がＬ８レンズの接着剤溜まり４６２の３箇所に注入される。接着剤４７２は、接着剤４７０と同一のものが望ましい。しかし、高温や低温環境下でのデジタルスチルカメラ１００の使用に鑑みて、硬化後の線膨張係数が同じものでもよい。
【００４９】
次に、Ｌ８レンズ２４１の外径方向の位置調整が行われ、Ｌ９レンズ２４２との相対位置が所定の仕様になるように調整される。その後、紫外線が照射され接着剤４７２が硬化される。このようにして、Ｌ９レンズ２４１が、第４レンズ群保持枠２４３に接着固定される。
【００５０】
（実施の形態２）
図１０Ａおよび１０Ｂに第２の実施の形態を示す。
【００５１】
Ｌ９レンズ取付け面５１１と一体に形成された、Ｌ９レンズ接着剤溜り５１２のレンズ円周方向の配置の角度に関し、Ｌ８レンズ取付け面５２１と、Ｌ８レンズ接着剤溜り５２２を一体に形成し、光軸３００に対して、一方の入射光側からみて、レンズ円周方向の配置の角度を一致させている。本実施の形態により、高温や低温環境下でのデジタルスチルカメラ１００の使用に鑑みて、Ｌ９レンズ２４２とＬ８レンズ２４１の接着固定後、Ｌ９レンズ接着剤溜り５１２に注入された接着剤４７２と、Ｌ８レンズ接着剤溜り５２２に注入された接着剤４７０の収縮による、Ｌ９レンズ２４２と、Ｌ８レンズ２４１の移動方向が同一であるため、Ｌ９レンズ２４２とＬ８レンズ２４１のレンズ中心の同軸ズレ量を少なくすることが可能であり、より温度変化に対して、解像性能などの光学性能の劣化を抑制する効果を有する。
【００５２】
［５．まとめ］
本実施の形態のレンズ鏡筒１１１は、第４レンズ群２４０を有する。第４レンズ群２４０は、Ｌ８レンズ２４１とＬ９レンズ２４２とを含む。Ｌ８レンズ２４１は、レンズ中心を光軸に合わせるようにＬ８レンズ固定部５０２に接着固定される。Ｌ９レンズ２４２は、レンズ中心を光軸に合わせるようにＬ９レンズ固定部５００に接着固定される。Ｌ８レンズ固定部５０２とＬ９レンズ固定部５００は一体として構成される。Ｌ９レンズ固定部５００は、Ｌ９レンズ２４２の外径を規制するようにＬ９レンズ２４２の径方向端部と当接するＬ９レンズ外径受け部４５４を少なくとも３箇所備える。さらに、Ｌ９レンズ固定部５００は、Ｌ９レンズ２４２の高さを規制するようにＬ９レンズの光軸方向端部と当接するＬ９レンズ受け部４５１をＬ９レンズ外径受け部４５４と一体に備える。さらに、Ｌ９レンズ固定部５００は、Ｌ９レンズ外径受け部４５４と一体となったＬ９レンズ第１の接着剤溜まり４５２を備える。Ｌ８レンズ２４１およびＬ９レンズ２４２は、硬化後に同じ線膨張係数になる接着剤４７０および接着剤４７２で接着固定される。
【００５３】
このような構成によれば、温度などの周囲環境が変動しても、Ｌ９レンズ２４２とＬ８レンズ２４１とが同じ線膨張係数の接着剤４７０および接着剤４７２で固定されているので、Ｌ９レンズ２４２とＬ８レンズ２４１の光学中心のズレを低減させることができる。
【００５４】
よって、プラスチックレンズとガラスレンズとを同一のレンズ群に使用する場合に、温度などの周囲環境が変動しても、撮像した画像品質の劣化を低減することが可能なレンズ鏡筒を提供できる。
【００５５】
（他の実施の形態）
以上のように、本発明の実施の形態が例示された。しかし、本発明は、これには限られない。そこで本発明の他の実施の形態が、以下にまとめて説明される。なお、本発明は、これらには限定されず、適宜修正された他の実施の形態に対しても適用可能である。
【００５６】
実施の形態においてフォーカス機能を有する第４レンズ群２４０に適用した例が示された。しかし本発明は、これには限られない。例えば、ズーム機能を有する第２レンズ群２２０に対しても適用することができる。つまり、同一のレンズ群において、同一のレンズ枠にプラスチックレンズとガラスレンズとが光軸を合わせて接着固定されるならば、本発明の適用が可能である。したがって、本実施の形態のような屈曲光学系に替えて、直進光学系についても本発明の適用が可能である。
【００５７】
さらに、実施の形態においてプラスチックレンズがダブルＤカットレンズである場合が例示された。しかし本発明はこれには限られない。Ｄカットレンズや円形のレンズなどレンズの形状の如何を問わず本発明の適用が可能である。
【産業上の利用可能性】
【００５８】
本発明のレンズ鏡筒は、プラスチックレンズとガラスレンズとを同一のレンズ群に使用する場合に、温度などの周囲環境が変動しても、撮像した画像品質の劣化を低減することが可能なレンズ鏡筒を提供できる。そのため、本発明は、レンズ交換式ＤＳＣ（Ｄｉｇｉｔａｌ  Ｓｔｉｌｌ  Ｃａｍｅｒａ）や固定レンズ式ＤＳＣ、ムービーなどの携帯用機器のレンズ鏡筒、あるいはテレビカメラ、監視カメラなどのレンズ鏡筒として広く有用である。
【符号の説明】
【００５９】
１００    デジタルスチルカメラ
１０１    前面部
１０２    背面部
１０３    上面部
１０４    底面部
１０５    左側面部
１０６    右側面部
１０７    撮影モード切替ボタン
１０８    レリーズボタン
１０９    電源スイッチ
１１０    ズーム調節レバー
１１１    レンズ鏡筒
２１０    第１レンズ群
２１１    第１レンズ
２１２    反射プリズム
２１３    第３レンズ
２１４，２２６，２３２，２４５，２５２，２６３    筐体
２２０    第２レンズ群
２２１    第４レンズ
２２２    第５レンズ
２２３    第６レンズ
２２４    第２レンズ群保持枠
２２５    第２レンズ群駆動手段
２３０    第３レンズ群
２３１    第７レンズ
２４０    第４レンズ群
２４１    第８レンズ
２４２    第９レンズ
２４３    第４レンズ群保持枠
２４４    第４レンズ群駆動手段
２５０    第５レンズ群
２５１    第１０レンズ
２６０    第６レンズ群
２６１    第１１レンズ
２６２    第６レンズ群保持枠
２７０    シャッターユニット
２８０    マスターフランジ
２９０    撮像素子
３００，３１０    光軸
４１０    フォーカスラック部
４２０    ガイド軸
４２２    フォーカスガイド副軸
４３１    ピン当て部
４３２    ゲート逃がし部
４３３    Ｌ９レンズ取り付け面
４３４    Ｌ９レンズ外径当て面
４３５    Ｌ９レンズ外径部
４５１    Ｌ９レンズ受け部
４５４    Ｌ９レンズ外径受け部
４６１    Ｌ８レンズ取り付け面受け部
４６２    Ｌ８レンズ接着剤溜まり
４７０，４７２    接着剤
４８１    Ｌ８レンズ取り付け面
５００    Ｌ８レンズ固定部
５０２    Ｌ９レンズ固定部
５１１    Ｌ９レンズ取付け面
５１２    Ｌ９レンズ接着剤溜り
５１３    ゲート逃がし部
５２１    Ｌ８レンズ取付け面
５２２    Ｌ８レンズ接着剤溜り
【図１】
2011145505.tif 000003
【図２】
2011145505.tif 000004
【図３】
2011145505.tif 000005
【図４】
2011145505.tif 000006
【図５Ａ】
2011145505.tif 000007
【図５Ｂ】
2011145505.tif 000008
【図６Ａ】
2011145505.tif 000009
【図６Ｂ】
2011145505.tif 000010
【図６Ｃ】
2011145505.tif 000011
【図７Ａ】
2011145505.tif 000012
【図７Ｂ】
2011145505.tif 000013
【図８Ａ】
2011145505.tif 000014
【図８Ｂ】
2011145505.tif 000015
【図８Ｃ】
2011145505.tif 000016
【図９Ａ】
2011145505.tif 000017
【図９Ｂ】
2011145505.tif 000018
【図９Ｃ】
2011145505.tif 000019
【図９Ｄ】
2011145505.tif 000020
【図１０Ａ】
2011145505.tif 000021
【図１０Ｂ】
2011145505.tif 000022